(57)【要約】【課題】辞書検索する際に、視覚的、感覚的に学習意欲を高める。【解決手段】ユーザによって選択された辞書データを対象に任意の見出し語を検索し、当該見出し語の説明情報を表示させると、この検索された見出し語がその辞書データ内での集録位置の情報と共に検索履歴登録データメモリに記憶蓄積される。そして、検索対象の辞書に応じた検索語を入力する辞書検索画面Ｇでは、前記検索履歴登録データメモリに記憶された検索済みの各見出し語とその辞書内位置情報に基づいて、辞書データの範囲に対する当該各見出し語の位置を示すマークＭｎ…を配列した検索履歴グラフＳｈが生成されて表示される。この検索履歴グラフＳｈに表示されたマークＭｎがユーザ操作に応じて指定されると、当該指定のマークＭｎに対応した検索済みの見出し語とその説明情報が読み出され、説明情報表示画面Ｇｅとして表示される。【選択図】      図６
2015011460.tif 000002
【特許請求の範囲】
【請求項１】
複数の見出し語を集録した辞書データを記憶する辞書記憶手段と、
この辞書記憶手段により記憶された辞書データから見出し語を検索する見出し語検索手段と、
この見出し語検索手段により検索された見出し語を記憶する検索履歴記憶手段と、
この検索履歴記憶手段により記憶された見出し語が、前記辞書データの範囲のどの位置にあるのかを示すマークを配列した検索履歴グラフを表示させる検索履歴表示手段と、
ユーザ操作に応じて、前記検索履歴表示手段により表示された任意のマークが指定された際に、当該指定のマークに対応した見出し語を表示させる履歴見出し語表示手段と、
を備えたことを特徴とする辞書機能を備えた電子機器。
【請求項２】
ユーザ操作に応じて画像を取得する画像取得手段を備え、
前記検索履歴記憶手段は、前記見出し語検索手段により検索された見出し語に前記画像取得手段により取得された画像を対応付けて記憶し、
前記検索履歴表示手段は、前記検索履歴記憶手段により記憶された見出し語が、前記辞書データの範囲のどの位置にあるのかを示すマークを、当該見出し語に対応付けられて記憶された画像と共に表示させる、
ことを特徴とする請求項１に記載の辞書機能を備えた電子機器。
【請求項３】
ユーザ操作に応じて検索語を入力する検索語入力手段を備え、
前記見出し語検索手段は、前記辞書記憶手段により記憶された辞書データから前記検索語入力手段により入力された検索語に対応した見出し語を検索し、
前記検索履歴表示手段は、前記検索語入力手段により入力された検索語が入力された際に、当該検索語に対応した見出し語が記憶されている辞書データの範囲を設定し、この設定された辞書データの範囲で前記検索履歴記憶手段により記憶された見出し語がどの位置にあるのかを示すマークを表示させる検索語対応履歴表示手段を有する、
ことを特徴とする請求項１または請求項２に記載の辞書機能を備えた電子機器。
【請求項４】
ユーザ操作に応じて、前記検索履歴表示手段により表示された任意のマークを含む辞書データの範囲が指定された際に、この指定された辞書データの範囲で前記検索履歴記憶手段により記憶された見出し語がどの位置にあるのかを示すマークを表示させる指定範囲対応履歴表示手段を有する、
ことを特徴とする請求項１ないし請求項３の何れか１項に記載の辞書機能を備えた電子機器。
【請求項５】
表示部と記憶部を備えた電子機器のコンピュータを制御するためのプログラムであって、
前記コンピュータを、
複数の見出し語を集録した辞書データを前記記憶部に記憶させる辞書記憶手段、
この辞書記憶手段により記憶された辞書データから見出し語を検索する見出し語検索手段、
この見出し語検索手段により検索された見出し語を前記記憶部に記憶させる検索履歴記憶手段、
この検索履歴記憶手段により記憶された見出し語が、前記辞書データの範囲のどの位置にあるのかを示すマークを配列した検索履歴グラフを前記表示部に表示させる検索履歴表示手段、
ユーザ操作に応じて、前記検索履歴表示手段により表示された任意のマークが指定された際に、当該指定のマークに対応した見出し語を前記表示部に表示させる履歴見出し語表示手段、
として機能させるためのコンピュータ読み込み可能なプログラム。
【請求項６】
端末装置とネットワークを介して前記端末装置と接続されるサーバ装置からなる辞書検索システムであって、
複数の見出し語を集録した辞書データを記憶する辞書記憶手段と、
前記端末装置から入力されたユーザ操作の内容に応じて前記辞書記憶手段により記憶された辞書データから見出し語を検索する見出し語検索手段と、
この見出し語検索手段により検索された見出し語の表示画面を生成し前記端末装置へ出力して表示させる検索見出し語出力制御手段と、
前記見出し語検索手段により検索された見出し語を記憶する検索履歴記憶手段と、
この検索履歴記憶手段により記憶された見出し語が、前記辞書データの範囲のどの位置にあるのかを示すマークを配列した検索履歴グラフを生成し前記端末装置へ出力して表示させる検索履歴グラフ出力制御手段と、
この検索履歴グラフ出力制御手段により前記端末装置で表示された検索履歴グラフのマークに対するユーザ操作の指定に応じて、当該指定のマークに対応した見出し語の表示画面を生成し前記端末装置へ出力して表示させる履歴見出し語出力制御手段と、
を備えたことを特徴とする辞書検索システム。
【発明の詳細な説明】
【技術分野】
【０００１】
本発明は、辞書の見出し語を検索してその説明情報を表示させるための辞書機能を備えた電子機器およびその制御プログラム、辞書検索システムに関する。
【背景技術】
【０００２】
外国語の学習において辞書が利用されるが、学生等の間では、紙の辞書を利用して「辞書引き学習法」と言う学習方法が行われることがある。この辞書引き学習法とは、辞書を引いた場所に付箋などの目印を貼付け、学習するほどにその数が多くなることを実感して視覚的に学習意欲を高める方法である。
【０００３】
一方、従来の電子辞書であっては、見出し語の検索履歴を蓄積記憶する検索履歴テーブルを備え、過去に調べた単語のリストを表示するヒストリ機能を有するものがある。そして、検索文字列が入力されると、前方一致検索された各見出し語を検索見出し語一覧として表示させるだけでなく、当該一覧表示された各見出し語の中で前記検索履歴テーブルに存在する過去に検索済みのヒストリ見出し語もその検索頻度が高い順にヒストリ見出し語一覧として表示させることで、前記検索履歴を最大限有効に利用して学習意欲を高めるようにした辞書検索装置が考えられている（例えば、特許文献１参照。）。
【先行技術文献】
【特許文献】
【０００４】
【特許文献１】特開２００８−０５９３９２号公報
【発明の概要】
【発明が解決しようとする課題】
【０００５】
前記従来の電子辞書では、当然ながら付箋を貼付けることはできず、前述したような辞書引き学習法を実践することはできない。
【０００６】
このため、電子辞書であっても、視覚的、感覚的に、辞書検索する際の学習意欲を高められるような工夫の実現が望まれる。
【０００７】
本発明は、このような課題に鑑みてなされたもので、辞書検索する際に、視覚的、感覚的に学習意欲を高めることが可能になる辞書機能を備えた電子機器およびその制御プログラム、辞書検索システムを提供することを目的とする。
【課題を解決するための手段】
【０００８】
本発明に係る辞書機能を備えた電子機器は、複数の見出し語を集録した辞書データを記憶する辞書記憶手段と、この辞書記憶手段により記憶された辞書データから見出し語を検索する見出し語検索手段と、この見出し語検索手段により検索された見出し語を記憶する検索履歴記憶手段と、この検索履歴記憶手段により記憶された見出し語が、前記辞書データの範囲のどの位置にあるのかを示すマークを配列した検索履歴グラフを表示させる検索履歴表示手段と、ユーザ操作に応じて、前記検索履歴表示手段により表示された任意のマークが指定された際に、当該指定のマークに対応した見出し語を表示させる履歴見出し語表示手段と、を備えたことを特徴としている。
【０００９】
本発明に係るプログラムは、表示部と記憶部を備えた電子機器のコンピュータを制御するためのプログラムであって、前記コンピュータを、複数の見出し語を集録した辞書データを前記記憶部に記憶させる辞書記憶手段、この辞書記憶手段により記憶された辞書データから見出し語を検索する見出し語検索手段、この見出し語検索手段により検索された見出し語を前記記憶部に記憶させる検索履歴記憶手段、この検索履歴記憶手段により記憶された見出し語が、前記辞書データの範囲のどの位置にあるのかを示すマークを配列した検索履歴グラフを前記表示部に表示させる検索履歴表示手段、ユーザ操作に応じて、前記検索履歴表示手段により表示された任意のマークが指定された際に、当該指定のマークに対応した見出し語を前記表示部に表示させる履歴見出し語表示手段、として機能させることを特徴としている。
【００１０】
本発明に係る辞書検索システムは、端末装置とネットワークを介して前記端末装置と接続されるサーバ装置からなる辞書検索システムであって、複数の見出し語を集録した辞書データを記憶する辞書記憶手段と、前記端末装置から入力されたユーザ操作の内容に応じて前記辞書記憶手段により記憶された辞書データから見出し語を検索する見出し語検索手段と、この見出し語検索手段により検索された見出し語の表示画面を生成し前記端末装置へ出力して表示させる検索見出し語出力制御手段と、前記見出し語検索手段により検索された見出し語を記憶する検索履歴記憶手段と、この検索履歴記憶手段により記憶された見出し語が、前記辞書データの範囲のどの位置にあるのかを示すマークを配列した検索履歴グラフを生成し前記端末装置へ出力して表示させる検索履歴グラフ出力制御手段と、この検索履歴グラフ出力制御手段により前記端末装置で表示された検索履歴グラフのマークに対するユーザ操作の指定に応じて、当該指定のマークに対応した見出し語の表示画面を生成し前記端末装置へ出力して表示させる履歴見出し語出力制御手段と、を備えたことを特徴としている。
【発明の効果】
【００１１】
本発明によれば、辞書検索する際に、視覚的、感覚的に学習意欲を高めることが可能になる。
【図面の簡単な説明】
【００１２】
【図１】本発明の辞書機能を備えた電子機器の実施形態に係る電子辞書装置１０の外観構成を示す正面図。
【図２】前記電子辞書装置１０の電子回路の構成を示すブロック図。
【図３】前記電子辞書装置１０の第１実施形態の辞書検索処理（１）を示すフローチャート。
【図４】前記電子辞書装置１０の第１実施形態の辞書検索処理（１）に伴うグラフ生成処理（１）を示すフローチャート。
【図５】前記電子辞書装置１０の辞書検索処理に伴う検索履歴登録データメモリ２６ｆに対する最新履歴の登録位置と登録履歴の読み出し順序を示す図。
【図６】前記電子辞書装置１０の第１実施形態の辞書検索処理に伴う表示動作の具体例を示す図。
【図７】前記電子辞書装置１０の第２実施形態の辞書検索処理（２）を示すフローチャート。
【図８】前記電子辞書装置１０の第２実施形態の辞書検索処理（２）に伴うグラフ生成処理（２）を示すフローチャート。
【図９】前記電子辞書装置１０の第２実施形態の検索履歴登録データメモリ２６ｆ′に記憶される検索済みの見出し語に対応付けられた画像データを示す図。
【図１０】前記電子辞書装置１０の第２実施形態のグラフ生成処理（２）に従い生成された検索履歴グラフＳｈ′を示す図。
【図１１】前記電子辞書装置１０の第２実施形態の辞書検索処理（２）に従い表示された説明情報表示画面Ｇｅを示す図。
【発明を実施するための形態】
【００１３】
以下図面により本発明の実施の形態について説明する。
【００１４】
図１は、本発明の辞書機能を備えた電子機器の実施形態に係る電子辞書装置１０の外観構成を示す正面図である。
【００１５】
この電子辞書装置１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る］キー１４ｄ、カーソルキー１４ｅ、ページ送りキー１４ｆなどを備えたキー入力部１４、およびタッチパネル式サブ表示部１５が備えられる。
【００１７】
このタッチパネル式サブ表示部１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。このサブ表示部１５は、必要に応じて、手書き文字を入力するための手書き文字入力領域、各種機能のキー入力領域、あるいは当該各領域が混在する領域に切り替えられる。
【００１８】
そして、前記サブ表示部１５が手書き文字入力領域に切り替えられた状態での手書き入力に伴う軌跡はそのバックライト付きカラー液晶表示画面１５ｄにエコーバックして表示される。
【００１９】
また蓋体ケース１２の表面には、そのほぼ全面を対象に例えば４８０×３２０ドットのバックライト付きのタッチパネル式メイン表示部１６が設けられ、更に同蓋体ケース１２の裏面側には、撮像部１７が設けられる。
【００２０】
前記タッチパネル式メイン表示部１６も、前記サブ表示部１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２１】
そして、この電子辞書装置１０は、見出し語検索画面Ｇの検索語入力エリアＡｋに沿って、選択中の辞書の中で検索履歴として登録された各見出し語がどの位置に存在するかをライン状のマークＭ１，Ｍ２，…，Ｍｎで示すための検索履歴グラフＳｈを生成して表示させるグラフ生成表示機能、前記検索履歴グラフＳｈのマークＭｎに対するタッチ操作に応じて当該マークＭｎに対応した見出し語の説明情報を表示させるマーク対応見出し語説明表示機能、前記検索語入力エリアＡｋに検索語の文字を１文字ずつ入力する毎に、当該入力された文字列と前方一致する見出し語を検索するインクリメンタルサーチ機能、このインクリメンタルサーチに伴い検索語と前方一致した一連の見出し語を抽出すると共にその先頭の見出し語に反転カーソルＣｕを設定して見出し語一覧エリアＬｍに一覧表示させる見出し語一覧表示機能、前記見出し語一覧エリアＬｍに一覧表示された各見出し語のうち前記反転カーソルＣｕにより指定された見出し語に対応する説明情報をプレビューエリアＰｖに表示させるプレビュー表示機能、前記プレビューエリアＰｖに表示された見出し語の説明情報を全画面に展開して表示させる説明情報表示機能等を有する。
【００２２】
なお、前記グラフ生成表示機能において、前記検索語入力エリアＡｋに検索語の文字が入力されると、入力された検索語と前方一致する全ての見出し語の辞書の範囲を対象に前記検索履歴グラフＳｈを再生成して表示させる。同図１に示す電子辞書装置１０では、検索語の文字「Ｃ」が入力された際に、当該文字「Ｃ」と前方一致する全ての見出し語の範囲、つまり、選択中の英和辞典内の見出し文字「Ｃ」とその次の見出し文字「Ｄ」との間の範囲に対応した検索履歴グラフＳｈが再生成されて表示された具体例を示している。
【００２３】
図２は、前記電子辞書装置１０の電子回路の構成を示すブロック図である。
【００２４】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２５】
ＣＰＵ２１は、記憶装置２２内に予め記憶された装置制御プログラム２２ａ、あるいはＲＯＭカードなどの外部記録媒体２３から記録媒体読み取り部２４を介して前記記憶装置２２に読み込まれた装置制御プログラム２２ａ、あるいはインターネットＮ上のＷｅｂサーバ（この場合はプログラムサーバ）３０から通信部２５を介して前記記憶装置２２に読み込まれた装置制御プログラム２２ａに応じて、ＲＡＭ２６を作業用メモリとして回路各部の動作を制御する。
【００２６】
前記記憶装置２２に記憶された装置制御プログラム２２ａは、キー入力部１４、タッチパネル式サブ表示部１５、タッチパネル式メイン表示部１６からのユーザ操作に応じた入力信号、あるいは撮像部１７からのユーザ操作に応じた撮像信号、あるいは通信部２５を介して接続されるインターネットＮ上の各Ｗｅｂサーバ３０…との通信信号に応じて起動される。
【００２７】
このように、前記ＣＰＵ２１には、前記記憶装置２２、記録媒体読み取り部２４、通信部２５、ＲＡＭ２６、キー入力部１４、タッチパネル式サブ表示部１５、タッチパネル式メイン表示部１６、撮像部１７が接続される。
【００２８】
前記記憶装置２２には、装置制御プログラム２２ａとして、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、検索語入力処理、検索語に対応した見出し語検索処理、検索見出し語のプレビュー付き一覧表示処理、選択された見出し語に対応する語義・用例・解説などの各種説明情報の読み出し表示処理、検索履歴の登録処理、検索履歴の登録情報に基づいた検索履歴グラフＳｈの生成表示処理、検索履歴グラフＳｈのマークＭｎに対するユーザ操作に応じた検索済み見出し語の説明情報読み出し表示処理など、同記憶装置２２内の辞書データベース２２ｂに基づく検索・履歴登録、表示処理全般を制御するための辞書検索プログラムが記憶される。
【００２９】
辞書データベース２２ｂには、例えば、五十音順に並べられた日本語の見出し語に対応付けて日本語の説明情報が記述された［国語辞典］、アルファベット順に並べられた英語の見出し語に対応付けて日本語の説明情報が記述された［英和辞典］、日本語の見出し語に対応付けて英語の説明情報が記述された［和英辞典］、多様なジャンルの見出し語に対応付けてその説明情報が記述された［百科事典］をはじめ、複数種類の辞書データが予め記憶されるかあるいはダウンロードされて記憶される。
【００３０】
前記ＲＡＭ２６には、入力データメモリ２６ａ、メイン画面データメモリ２６ｂ、サブ画面データメモリ２６ｃ、検索語データメモリ２６ｄ、検索見出し語データメモリ２６ｅ、検索履歴登録データメモリ２６ｆなどが確保される。
【００３１】
前記入力データメモリ２６ａには、前記キー入力部１４、タッチパネル１５ｔ，１６ｔのユーザ操作に応じた個々の入力データが逐次記憶される。
【００３２】
前記メイン画面データメモリ２６ｂには、前記タッチパネル式メイン表示部１６に表示させる表示データがビットマップパターンに展開されて記憶される。
【００３３】
前記サブ画面データメモリ２６ｃには、前記タッチパネル式サブ表示部１５に表示させる表示データがビットマップパターンに展開されて記憶される。
【００３４】
前記検索語データメモリ２６ｄには、検索対象として選択された辞書の検索語入力エリアＡｋにて入力された検索語の文字列が記憶される。
【００３５】
前記検索見出し語データメモリ２６ｅには、前記検索対象として選択された辞書から前記検索語データメモリ２６ｄに記憶された検索語と前方一致する見出し語が検索されて記憶される。
【００３６】
前記検索履歴登録データメモリ２６ｆには、前記辞書から検索された見出し語の説明情報が表示されるのに伴い、当該見出し語の辞書全体の中での集録位置が算出され、同見出し語がその集録位置の情報と共に記憶され蓄積される。
【００３７】
このように構成された電子辞書装置１０は、ＣＰＵ２１が前記装置制御プログラム２２ａ（検索語入力処理、見出し語検索処理、プレビュー付き見出し語一覧表示処理、選択見出し語の説明情報表示処理、検索履歴の登録処理、検索履歴グラフＳｈの生成表示処理、検索履歴グラフＳｈに対するユーザ操作に応じた検索済み見出し語の説明情報表示処理等を実行するためのプログラムを含む）に記述された命令に従い回路各部の動作を制御し、ソフトウエアとハードウエアとが協働して動作することにより、以下の動作説明で述べる機能を実現する。
【００３８】
次に、前記構成による電子辞書装置１０の動作について説明する。
【００３９】
（第１実施形態）
図３は、前記電子辞書装置１０の第１実施形態の辞書検索処理（１）を示すフローチャートである。
【００４０】
図４は、前記電子辞書装置１０の第１実施形態の辞書検索処理（１）に伴うグラフ生成処理（１）を示すフローチャートである。
【００４１】
図５は、前記電子辞書装置１０の辞書検索処理に伴う検索履歴登録データメモリ２６ｆに対する最新履歴の登録位置と登録履歴の読み出し順序を示す図である。
【００４２】
図６は、前記電子辞書装置１０の第１実施形態の辞書検索処理に伴う表示動作の具体例を示す図である。
【００４３】
辞書指定キー１４ｂによりユーザ任意の辞書、例えば［英和辞典］が選択されると、選択された辞書［英和辞典］に応じた辞書検索画面Ｇ（図６（Ａ）参照）がメイン表示部１６に表示される（ステップＳ１）。次に、図４におけるグラフ生成処理（１）へ移行されて検索履歴グラフＳｈの表示処理が実行される（ステップＳ２Ａ）。
【００４４】
このグラフ生成処理（１）では、先ず、前記ユーザ任意の辞書が選択された直後の初期表示であるか判断される（ステップＡ１）。ここでは、初期表示であると判断されるので（ステップＡ１（Ｙｅｓ））、当該選択された辞書全体の容量が生成すべきグラフの範囲として設定される（ステップＡ２）。
【００４５】
そして、前記検索履歴登録データメモリ２６ｆ（図５参照）に記憶されている過去に検索済みの各見出し語とその辞書内での位置情報が読み出され、図６（Ａ）に示すように、前記辞書全体の中での当該各見出し語の位置を示すマークＭ１，Ｍ２，…，Ｍ１０を配列した検索履歴グラフＳｈが生成されて表示される（ステップＡ３）。
【００４６】
この辞書全体をグラフ範囲とする検索履歴グラフＳｈが表示された辞書検索画面Ｇの初期表示状態にあって、例えば図６（Ｂ）に示すように、当該辞書検索画面Ｇの検索語入力エリアＡｋに、検索したい見出し語を構成する文字「ｃ」が入力されると（ステップＳ３（Ｙｅｓ））、当該検索語の文字「ｃ」と前方一致する見出し語が前記［英和辞典］から検索される（ステップＳ４）。
【００４７】
そして、前記図４におけるグラフ生成処理（１）へ再び移行され、前記検索履歴グラフＳｈの再表示処理が実行される（ステップＳ５Ａ）。
【００４８】
このグラフ生成処理（１）では、前記検索語入力エリアＡｋに文字「ｃ」が入力されたと判断されるので（ステップＡ４（Ｙｅｓ））、前記選択された辞書のうち当該入力された（見出し）文字「Ｃ」とその次の（見出し）文字「Ｄ」との間の容量が生成すべきグラフの範囲として設定される（ステップＡ５）。つまりこの場合には「Ｃ」から始まる見出し語全体の範囲として設定される。
【００４９】
そして、前記設定された辞書の見出し文字「Ｃ」と「Ｄ」との間の範囲において、検索履歴登録データメモリ２６ｆ（図５参照）に記憶されている過去に検索済みの各見出し語とその位置情報が読み出され、当該辞書の見出し範囲「Ｃ」〜「Ｄ」内での当該各見出し語の位置を示すマークＭ１，Ｍ２，…，Ｍ６を配列した検索履歴グラフＳｈが再生成されて表示される（ステップＡ６）。
【００５０】
すると、前記ステップＳ４において［英和辞典］から検索された検索語の文字「ｃ」と前方一致する各見出し語が見出し語一覧エリアＬｍに一覧表示されると共に、反転カーソルＣｕにより識別表示された先頭の見出し語「Ｃａ」の説明情報がプレビューエリアＰｖに表示される（ステップＳ６）。
【００５１】
この後さらに、前記検索語入力エリアＡｋに対する検索したい見出し語を構成する次の文字、例えば「ａ」が追加入力されると（ステップＳ７（Ｙｅｓ））、当該追加入力された文字を含む文字列と前方一致する見出し語が検索されて前記見出し語一覧エリアＬｍに一覧表示されると共に、その文字列「ＣＡ」と次の見出し文字「ＣＢ」との間の狭められた範囲（「ＣＡ」で始まる見出し語全体の範囲）に対応した検索履歴グラフＳｈが再生成されて表示される（ステップＳ４〜Ｓ６）。このようにして、検索文字が追加される毎に検索履歴グラフの範囲が狭められて再表示される。
【００５２】
そして、前記見出し語一覧エリアＬｍに一覧表示された何れかの見出し語が選択されると（ステップＳ８（Ｙｅｓ））、当該選択された見出し語の説明情報が前記［英和辞書］から読み出され（ステップＳ９）、説明情報表示画面Ｇｅとしてメイン表示部１６の略全画面に展開されて表示される（ステップＳ１０）。
【００５３】
すると、前記選択された見出し語とその辞書内での位置情報が、前記検索履歴登録データメモリ２６ｆ（図５参照）に追加して登録されて蓄積される（ステップＳ１１）。
【００５４】
一方、前記図６（Ｂ）で示したように、検索語入力エリアＡｋに入力された検索語の文字に対応した見出し語一覧エリアＬｍの表示状態で、その検索履歴グラフＳｈがタッチ操作等により指定されたと判断されるか（ステップＳ１２（Ｙｅｓ））、または前記図６（Ａ）で示したように、辞書検索画面Ｇの初期表示状態で、その検索履歴グラフＳｈがタッチ操作等により指定されたと判断されると（ステップＳ１３（Ｙｅｓ））、ステップＳ１４以降の処理へ進む。
【００５５】
すなわち、例えば図６（Ｃ）に示すように、辞書検索画面Ｇの初期表示状態で、その検索履歴グラフＳｈにおけるマークＭ１，Ｍ２，…が込んでいる範囲Ｅ（ここでは、マークＭ１〜Ｍ３を囲む範囲）がペンで囲むようにして指定されたと判断されると（ステップＳ１３，Ｓ１６（Ｙｅｓ））、前記図４におけるグラフ生成処理（１）へ再び移行され、前記指定されたマークＭ１〜Ｍ３を囲む範囲Ｅに対応した検索履歴グラフＳｈの再表示処理が実行される（ステップＳ１７Ａ）。
【００５６】
このグラフ生成処理（１）では、前記検索履歴グラフＳｈにおけるマークＭ１〜Ｍ３を囲む範囲Ｅが指定されたと判断されるので（ステップＡ７（Ｙｅｓ））、その指定範囲に対応したところの辞書の容量が生成すべきグラフの範囲として設定される（ステップＡ８）。
【００５７】
そして、前記検索履歴グラフＳｈのマークＭ１〜Ｍ３を囲んで設定された辞書の範囲（例えば、見出し文字「ＣＥ」〜「ＣＹ」の範囲）において、検索履歴登録データメモリ２６ｆ（図５参照）に記憶されている過去に検索済みの各見出し語とその位置情報（ここでは、マークＭ１，Ｍ２，Ｍ３に対応した各見出し語とその位置情報）が読み出され、図６（Ｄ）に示すように、当該各見出し語の位置を示すマークＭ１，Ｍ２，Ｍ３のみを配列した検索履歴グラフＳｈが再生成されて表示される（ステップＡ９）。
【００５８】
なお、前記グラフ生成処理（１）（ステップＳ２Ａ／Ｓ５Ａ／Ｓ１７Ａ）において、前記検索履歴登録データメモリ２６ｆから読み出される、設定されたグラフ範囲内での検索済みの各見出し語とその位置情報は、前記図５で示したように、過去に登録された見出し語から順次読み出されるので、これに伴い生成される検索履歴グラフＳｈの各見出し語に対応したマークＭｎ…は、当該過去に登録された見出し語のマークＭｎが先に、その後に登録された見出し語のマークＭｍが順に上書きされて表示される。このため、前記登録された各見出し語に対応する各マークＭｎ…の表示色を、過去のものほど薄くして表示させれば、前記設定されたグラフ範囲内での検索済みの見出し語の位置が確認できるだけでなく、その登録後の経過時間をも容易に判断することができる。
【００５９】
そして、前記図６（Ａ）〜図６（Ｄ）を参照して説明したように、検索履歴グラフＳｈが表示された辞書検索画面Ｇにおいて、その検索履歴グラフＳｈに示された任意のマークＭｎが指定されたと判断されると（ステップＳ１４（Ｙｅｓ））、当該指定されたマークＭｎに対応した位置情報と共に前記検索履歴登録データメモリ２６ｆに記憶されている見出し語の説明情報が前記［英和辞典］から読み出され、説明情報表示画面Ｇｅとしてメイン表示部１６の略全画面に展開されて表示される（ステップＳ１５）。
【００６０】
具体的には、例えば図６（Ｄ）で示したように、前記［英和辞書］における見出し文字「ＣＥ」〜「ＣＹ」の範囲に対応した検索履歴グラフＳｈが表示された辞書検索画面Ｇにおいて、図６（Ｅ）に示すように、当該検索履歴グラフＳｈに示されたマークＭ１が指定されたと判断されると（ステップＳ１４（Ｙｅｓ））、その指定のマークＭ１に対応した位置情報と共に前記検索履歴登録データメモリ２６ｆに記憶されている見出し語[chafer]の説明情報が読み出され、説明情報表示画面Ｇｅとしてメイン表示部１６に表示される（ステップＳ１５）。
【００６１】
したがって、前記構成の電子辞書装置１０の第１実施形態の辞書検索機能によれば、ユーザによって選択された辞書データを対象に任意の見出し語を検索し、当該見出し語の説明情報を表示させると、この検索された見出し語がその辞書データ内での集録位置の情報と共に検索履歴登録データメモリ１６ｆに記憶蓄積される。そして、検索対象の辞書に応じた検索語を入力する辞書検索画面Ｇでは、前記検索履歴登録データメモリ１６ｆに記憶された検索済みの各見出し語とその辞書内位置情報に基づいて、辞書データの範囲に対する当該各見出し語の位置を示すマークＭｎ…を配列した検索履歴グラフＳｈが生成されて表示される。この検索履歴グラフＳｈに表示されたマークＭｎがユーザ操作に応じて指定されると、当該指定のマークＭｎに対応した検索済みの見出し語とその説明情報が読み出され、説明情報表示画面Ｇｅとして表示される。
【００６２】
このため、辞書検索する際に、紙の辞書を引くときの辞書引き学習法のように、視覚的にも感覚的にも、学習意欲を高めた語学学習が可能になる。
【００６３】
また、前記構成の電子辞書装置１０の第１実施形態の辞書検索機能によれば、前記辞書検索画面Ｇの検索語入力エリアＡｋに対して、検索したい見出し語を構成する文字列が順次入力されると、文字入力の都度、入力された文字列とその次の文字との間に狭められた辞書データ（入力された文字（列）で始まる見出し語全体）をグラフ範囲とする前記検索履歴グラフＳｈが再生成されて表示される。
【００６４】
このため、検索語の文字を入力する毎に、当該入力された文字列で始まる見出し語全体の辞書の範囲に絞って、過去に検索済みの見出し語の位置をマークＭｎ…で示す検索履歴グラフＳｈを再表示させることができる。
【００６５】
さらに、前記構成の電子辞書装置１０の第１実施形態の辞書検索機能によれば、前記検索履歴グラフＳｈに表示されたマークＭｎ…を含む範囲が指定されると、当該指定された範囲に限られた辞書データ（指定範囲先頭の見出し文字（列）で始まる見出し語全体）をグラフ範囲とする前記検索履歴グラフＳｈが再生成されて表示される。
【００６６】
このため、前記検索履歴グラフＳｈにおいて、複数のマークＭｎ…が混み合っている範囲Ｅを囲んで指定することで、その範囲Ｅに絞ったグラフ範囲で各マークＭｎの間隔が開いた検索履歴グラフＳｈを再表示させることができる。
【００６７】
なお、前記第１実施形態において、辞書検索画面Ｇに表示される検索履歴グラフＳｈには、検索対象の辞書データにおける検索済みの各見出し語の集録位置を示すライン状のマークＭ１，Ｍ２，…，Ｍｎだけを配列して表示させる構成した。これに対し、次の第２実施形態で説明するように、前記検索履歴登録データメモリ２６ｆには、検索された見出し語およびその辞書データ内の集録位置の情報と共に、当該見出し語の説明情報を表示させた際に撮像部１７により撮影したユーザ任意の画像を対応付けて記憶させる。そして、前記検索履歴グラフＳｈには、前記検索済みの各見出し語の集録位置を示すライン状のマークＭ１，Ｍ２，…，Ｍｎと共に、その見出し語に対応付けられた画像が前記検索履歴登録データメモリ２６ｆに記憶されている場合には、当該画像のサムネイルＰ１，Ｐ２，…を付加して表示させる構成としてもよい。これによれば、前記検索履歴グラフＳｈによって、検索対象として選択された辞書内での検索済みの見出し語の位置が確認できるだけでなく、その見出し語を検索したときの状況も前記サムネイルＰｎによって確認することができる。
【００６８】
（第２実施形態）
図７は、前記電子辞書装置１０の第２実施形態の辞書検索処理（２）を示すフローチャートである。
【００６９】
図８は、前記電子辞書装置１０の第２実施形態の辞書検索処理（２）に伴うグラフ生成処理（２）を示すフローチャートである。
【００７０】
図９は、前記電子辞書装置１０の第２実施形態の検索履歴登録データメモリ２６ｆ′に記憶される検索済みの見出し語に対応付けられた画像データを示す図である。
【００７１】
図１０は、前記電子辞書装置１０の第２実施形態のグラフ生成処理（２）に従い生成された検索履歴グラフＳｈ′を示す図である。
【００７２】
図１１は、前記電子辞書装置１０の第２実施形態の辞書検索処理（２）に従い表示された説明情報表示画面Ｇｅを示す図である。
【００７３】
この第２実施形態の辞書検索処理（２）およびグラフ生成処理（２）において、前記第１実施形態の辞書検索処理（１）およびグラフ生成処理（１）と同一の処理ステップについては同一のステップ符号を付してその説明を省略する。
【００７４】
すなわち、この第２実施形態の辞書検索処理（２）では、検索文字が入力され、前記見出し語一覧エリアＬｍに一覧表示された各見出し語の中から任意の見出し語が選択され、当該選択された見出し語に対応した説明情報が説明情報表示画面Ｇｅとして表示された際（ステップＳ１０）、この見出し語を検索履歴として登録する場合に撮影画像を貼り付けて登録するかユーザに問い合わせるメッセージが出力される（図示せず）。それに対してユーザが画像を登録することを選択し（ステップＳ１０ａ（Ｙｅｓ））、撮像部１７によりユーザ任意の画像が撮影されると（ステップＳ１０ｂ）、図９に示すように、検索履歴登録データメモリ２６ｆ′には、前記選択された見出し語とその辞書内位置情報と共に、前記撮影画像Ｐｎが対応付けられて記憶される（ステップＳ１０ｃ）。なお、この撮影画像Ｐｎのデータには、撮影日時の情報を付加してもよい。
【００７５】
そして、前記見出し語一覧エリアＬｍに一覧表示された各見出し語の中から任意の見出し語が選択され（ステップＳ６〜Ｓ８）、当該選択された見出し語に対応した説明情報が選択中の辞書から読み出された際に（ステップＳ９）、当該見出し語に対応付けられて前記検索履歴登録データメモリ２６ｆ′（図９参照）に画像Ｐｎが記憶されている場合にはその画像Ｐｎが読み出され（ステップＳ９′）、例えば図１１に示すように、前記選択見出し語に対応した説明情報と共に前記画像Ｐｎを展開した説明情報表示画面Ｇｅが表示される（ステップＳ１０）。
【００７６】
これにより、過去に検索済みの見出し語について、その検索した時に当該見出し語検索の対象となった本の頁の文章や物体、看板、Ｗｅｂ画像等が撮影され、前記検索履歴登録データメモリ２６ｆ′に記憶されていた場合には、その見出し語についての説明情報を表示する際に撮影した画像も同時に表示されるので、同見出し語を検索した状況が分かり、楽しく、且つ、視覚的にも感覚的にも、学習意欲を高めた語学学習が可能になる。
【００７７】
また、この第２実施形態の辞書検索処理（２）に伴うグラフ生成処理（２）では、辞書の選択（ステップＳ１）に応じた最初のグラフ生成処理（ステップＳ２Ａ′）の場合、検索語の文字入力に応じた見出し語検索処理（ステップＳ３，Ｓ４）に伴うグラフ生成処理（ステップＳ５Ａ′）の場合、検索履歴グラフＳｈ′に対する任意のマークＭｎ…を囲んだ範囲指定（ステップＳ１６（Ｙｅｓ））に応じたグラフ生成処理（ステップＳ１７Ａ′）の場合の何れの場合でも、設定されたグラフ範囲に対応して前記検索履歴登録データメモリ２６ｆ′（図９参照）から読み出された検索済みの各見出し語とその位置情報に画像Ｐ１，Ｐ２…が対応付けられている場合には、図１０に示すように、当該各見出し語の位置を示すマークＭ１，Ｍ２，…を配列すると共にそのマーク直上に画像のサムネイルＰ１，Ｐ２，…を付加した検索履歴グラフＳｈ′が生成され、前記第１実施形態と同様に辞書検索画面Ｇ内の検索語入力エリアＡｋに沿って表示される（ステップＡ３′／Ａ６′／Ａ９′）。
【００７８】
ここで、前記検索履歴登録データメモリ２６ｆ′に記憶されている過去に検索済みの各見出し語は、前記第１実施形態（図５参照）と同様に、過去に登録された見出し語から順次読み出されるので、これに伴い生成される検索履歴グラフＳｈ′（図１０参照）の各見出し語に対応したマークＭｎ…や画像サムネイルＰｎ…は、当該過去に登録された見出し語のマークＭｎ、サムネイルＰｎが先に、その後に登録された見出し語のマークＭｍ、サムネイルＰｍが順に上書きされて表示される。
【００７９】
これにより、前記辞書検索画面Ｇに表示された検索履歴グラフＳｈ′を見るだけで、そのグラフの範囲に対応した辞書データの中で、過去に検索済みの見出し語が何処にあるかをマークＭ１，Ｍ２，…によって簡単に知ることができるだけでなく、当該マークＭ１，Ｍ２，…に付加されたサムネイルＰ１，Ｐ２，…によって、その検索済みの見出し語をどのような状況で検索したのか思い出したり連想したりすることができる。
【００８０】
そして、前記辞書検索画面Ｇに表示された検索履歴グラフＳｈ′（図１０参照）において、例えば、サムネイルＰ１が指定されたと判断されると（ステップＳ１３ａ（Ｙｅｓ））、当該指定のサムネイルＰ１の画像に対応付けられて前記検索履歴登録データメモリ２６ｆ′に記憶されている見出し語[bicycle]の説明情報が読み出され、図１１に示すように、その画像Ｐ１と共に説明情報表示画面Ｇｅとしてメイン表示部１６に表示される（ステップＳ１３ｂ）。
【００８１】
したがって、前記構成の電子辞書装置１０の第２実施形態の辞書検索機能によれば、検索履歴登録データメモリ２６ｆ′に記憶させる検索済みの見出し語に、その検索したときに撮影した画像を対応付けて記憶させ、前記検索履歴グラフＳｈ′を生成して表示させる際には、当該検索済みの見出し語の位置を示すマークＭ１，Ｍ２，…と共に該マークに対応付けられた画像のサムネイルＰ１，Ｐ２，…を付加して表示させる。
【００８２】
このため、前記第１実施形態と同様に、前記検索履歴グラフＳｈ′を利用して、紙の辞書を引く際の辞書引き学習法のように、辞書検索の操作が行えるだけでなく、視覚的にも感覚的にも、より効果的に学習意欲を高めた語学学習が可能になる。
【００８３】
なお、前記各実施形態において記載した電子辞書装置１０による各処理の手法およびデータベース、すなわち、図３，図４のフローチャートに示す第１実施形態の辞書検索処理（１）、図７，図８のフローチャートに示す第２実施形態の辞書検索処理（２）などの各手法および辞書データベース２２ｂ等を含むデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、タッチパネル式表示部（１６）を備えた電子機器のコンピュータは、この外部記録媒体２３に記録されたプログラムを記憶装置２２に読み込み、この読み込んだプログラムによって動作が制御されることにより、前記各実施形態において説明した検索履歴グラフＳｈ（Ｓｈ′）の生成表示機能と当該検索履歴グラフＳｈ（Ｓｈ′）を利用した検索済み見出し語の指定表示機能とを実現し、前述した手法による同様の処理を実行することができる。
【００８４】
また、前記各手法を実現するためのプログラムのデータは、プログラムコードの形態としてネットワークＮ上を伝送させることができ、このプログラムデータを、タッチパネル式表示部（１６）を備えた電子機器のコンピュータに通信部２５によって取り込むことで、前述した検索履歴グラフＳｈ（Ｓｈ′）の生成表示機能と当該検索履歴グラフＳｈ（Ｓｈ′）を利用した検索済み見出し語の指定表示機能とを実現することもできる。
【００８５】
なお、前記辞書機能を備えた電子機器の各実施形態は、電子辞書装置１０なる専用機器において辞書検索処理の全ての動作を実行するものとして説明したが、当該辞書機能を備えた電子機器をクラウドシステムのサーバ装置として構成してもよい。
【００８６】
すなわちこの場合、サーバ装置において、辞書データベース２２ｂを有し、ユーザインターフェイスを有するタブレット端末などの端末装置から、ユーザ任意の辞書の選択指示を入力することで、選択された辞書に対応した辞書検索画面Ｇを生成しその表示データを前記端末装置へ出力して表示させる。また前記端末装置から前記辞書検索画面Ｇに従ったユーザ任意の検索語を入力することで、当該検索語の文字（列）に応じた見出し語を検索し、その見出し語に対応した説明情報表示画面Ｇｅを生成しその表示データを前記端末装置へ出力して表示させる。この際、前記検索された見出し語はその辞書内位置情報と共に検索履歴（２６ｆ）として登録される。また前記辞書検索画面Ｇは、前記検索履歴（２６ｆ）として登録された各見出し語の辞書内位置を示すマークＭ１，Ｍ２，…を配列して生成した検索履歴グラフＳｈを組み合わせて生成される。そして、前記端末装置から前記辞書検索画面Ｇ内の検索履歴グラフＳｈに配列されたユーザ任意のマークＭｎに対する指定の内容を入力することで、当該指定のマークＭｎに対応した検索済みの見出し語の説明情報を前記選択された辞書から読み出し展開した説明情報表示画面Ｇｅを生成しその表示データを前記端末装置へ出力して表示させる。
【００８７】
なお、端末装置とサーバ装置からなるシステムとした場合に、辞書データを記憶するメモリ、検索手段、検索履歴を記憶するメモリ、検索履歴グラフを生成する手段の各手段を、端末装置とサーバ装置の何れに備えさせるかは、辞書検索システムに応じて、任意に選択することが可能である。
【００８８】
これによれば、特別な機能を持たない端末装置であっても、前記サーバ装置へアクセスすることで、ユーザ入力された検索語に対応する見出し語を検索してその説明情報の表示画面Ｇｅを表示できるのは勿論、検索履歴グラフＳｈを利用して、過去に検索した見出し語の辞書内位置をマークＭ１，Ｍ２，…により確認したり、そのマークＭｎを指定して該マークＭｎに対応する検索済み見出し語の説明情報表示画面Ｇｅを表示したりすることができる。
【００８９】
このため、前記各実施形態で説明した電子辞書装置１０と同様に、辞書検索は勿論、紙の辞書を引く際の辞書引き学習法のように、視覚的にも感覚的にも、学習意欲を高めた語学学習が可能になる。
【００９０】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９１】
以下に、本願出願の当初の特許請求の範囲に記載された発明を付記する。
【００９２】
［１］
複数の見出し語を集録した辞書データを記憶する辞書記憶手段と、
この辞書記憶手段により記憶された辞書データから見出し語を検索する見出し語検索手段と、
この見出し語検索手段により検索された見出し語を記憶する検索履歴記憶手段と、
この検索履歴記憶手段により記憶された見出し語が、前記辞書データの範囲のどの位置にあるのかを示すマークを配列した検索履歴グラフを表示させる検索履歴表示手段と、
ユーザ操作に応じて、前記検索履歴表示手段により表示された任意のマークが指定された際に、当該指定のマークに対応した見出し語を表示させる履歴見出し語表示手段と、
を備えたことを特徴とする辞書機能を備えた電子機器。
【００９３】
［２］
ユーザ操作に応じて画像を取得する画像取得手段を備え、
前記検索履歴記憶手段は、前記見出し語検索手段により検索された見出し語に前記画像取得手段により取得された画像を対応付けて記憶し、
前記検索履歴表示手段は、前記検索履歴記憶手段により記憶された見出し語が、前記辞書データの範囲のどの位置にあるのかを示すマークを、当該見出し語に対応付けられて記憶された画像と共に表示させる、
ことを特徴とする［１］に記載の辞書機能を備えた電子機器。
【００９４】
［３］
ユーザ操作に応じて検索語を入力する検索語入力手段を備え、
前記見出し語検索手段は、前記辞書記憶手段により記憶された辞書データから前記検索語入力手段により入力された検索語に対応した見出し語を検索し、
前記検索履歴表示手段は、前記検索語入力手段により入力された検索語が入力された際に、当該検索語に対応した見出し語が記憶されている辞書データの範囲を設定し、この設定された辞書データの範囲で前記検索履歴記憶手段により記憶された見出し語がどの位置にあるのかを示すマークを表示させる検索語対応履歴表示手段を有する、
ことを特徴とする［１］または［２］に記載の辞書機能を備えた電子機器。
【００９５】
［４］
ユーザ操作に応じて、前記検索履歴表示手段により表示された任意のマークを含む辞書データの範囲が指定された際に、この指定された辞書データの範囲で前記検索履歴記憶手段により記憶された見出し語がどの位置にあるのかを示すマークを表示させる指定範囲対応履歴表示手段を有する、
ことを特徴とする［１］ないし［３］の何れかに記載の辞書機能を備えた電子機器。
【００９６】
［５］
表示部と記憶部を備えた電子機器のコンピュータを制御するためのプログラムであって、
前記コンピュータを、
複数の見出し語を集録した辞書データを前記記憶部に記憶させる辞書記憶手段、
この辞書記憶手段により記憶された辞書データから見出し語を検索する見出し語検索手段、
この見出し語検索手段により検索された見出し語を前記記憶部に記憶させる検索履歴記憶手段、
この検索履歴記憶手段により記憶された見出し語が、前記辞書データの範囲のどの位置にあるのかを示すマークを配列した検索履歴グラフを前記表示部に表示させる検索履歴表示手段、
ユーザ操作に応じて、前記検索履歴表示手段により表示された任意のマークが指定された際に、当該指定のマークに対応した見出し語を前記表示部に表示させる履歴見出し語表示手段、
として機能させるためのコンピュータ読み込み可能なプログラム。
【００９７】
［６］
端末装置とネットワークを介して前記端末装置と接続されるサーバ装置からなる辞書検索システムであって、
複数の見出し語を集録した辞書データを記憶する辞書記憶手段と、
前記端末装置から入力されたユーザ操作の内容に応じて前記辞書記憶手段により記憶された辞書データから見出し語を検索する見出し語検索手段と、
この見出し語検索手段により検索された見出し語の表示画面を生成し前記端末装置へ出力して表示させる検索見出し語出力制御手段と、
前記見出し語検索手段により検索された見出し語を記憶する検索履歴記憶手段と、
この検索履歴記憶手段により記憶された見出し語が、前記辞書データの範囲のどの位置にあるのかを示すマークを配列した検索履歴グラフを生成し前記端末装置へ出力して表示させる検索履歴グラフ出力制御手段と、
この検索履歴グラフ出力制御手段により前記端末装置で表示された検索履歴グラフのマークに対するユーザ操作の指定に応じて、当該指定のマークに対応した見出し語の表示画面を生成し前記端末装置へ出力して表示させる履歴見出し語出力制御手段と、
を備えたことを特徴とする辞書検索システム。
【符号の説明】
【００９８】
１０  …電子辞書装置
１１  …本体ケース
１２  …蓋体ケース
１３  …ヒンジ部
１４  …キー入力部
１５  …タッチパネル式サブ表示部
１６  …タッチパネル式メイン表示部
１７  …撮像部
２１  …ＣＰＵ
２２  …記憶装置
２２ａ…装置制御プログラム
２２ｂ…辞書データベース
２３  …外部記録媒体
２４  …記録媒体読み取り部
２５  …通信部
２６  …ＲＡＭ
２６ｄ…検索語データメモリ
２６ｅ…検索見出し語データメモリ
２６ｆ（２６ｆ′）…検索履歴登録データメモリ
３０  …Ｗｅｂサーバ
Ｎ    …通信ネットワーク
Ｇ    …辞書検索画面
Ａｋ  …検索語入力エリア
Ｓｈ  …検索履歴グラフ
Ｍｎ  …マーク（検索済み見出し語の辞書内位置を示す）
Ｌｍ  …見出し語一覧エリア
Ｐｖ  …プレビューエリア
Ｇｅ  …説明情報表示画面
Ｐｎ  …見出し語検索時の任意登録画像（サムネイル）
【図１】
2015011460.tif 000003
【図２】
2015011460.tif 000004
【図３】
2015011460.tif 000005
【図４】
2015011460.tif 000006
【図５】
2015011460.tif 000007
【図６】
2015011460.tif 000008
【図７】
2015011460.tif 000009
【図８】
2015011460.tif 000010
【図９】
2015011460.tif 000011
【図１０】
2015011460.tif 000012
【図１１】
2015011460.tif 000013